【手続補正書】
【提出日】平成17年9月1日(2005.9.1)
【手続補正１】
【補正対象書類名】明細書
【補正対象項目名】特許請求の範囲
【補正方法】変更
【補正の内容】
【特許請求の範囲】
【請求項１】  テレビジョン放送受信機能と情報取得機能とを有するテレビジョン受信機であって、
受信したテレビジョン信号に基づき、映像と音声とを出力するテレビジョン放送受信手段と、
前記テレビジョン信号から、アクセス可能なリンク先の属性情報を抽出するリンク先情報抽出手段と、
前記リンク先情報抽出手段で抽出された属性情報を用いて、ユーザによって指定されたリンク先から情報を取得する情報取得手段と、
リンク先が特定リンク先であるか否かを識別するための識別情報を記憶する識別情報記憶手段と、
前記リンク先情報抽出手段で抽出された属性情報が前記識別情報記憶手段に記憶されているか否かに応じて、当該属性情報が前記識別情報記憶手段に記憶されている場合にはリンク先を特定リンク先であると、当該属性情報が前記識別情報記憶手段に記憶されていない場合にはリンク先を特定リンク先ではないと判断し、当該判断に従い、特定リンク先が強調されるように、リンク先の表示態様または音声出力を切り替える制御手段とを備えた、テレビジョン受信機。
【請求項２】  前記リンク先情報抽出手段で抽出された属性情報を用いて、アクセス可能なリンク先を提示する提示手段をさらに備え、
前記提示手段は、前記制御手段における判断に従い、アクセス可能なリンク先の提示態様を切り替えることを特徴とする、請求項１に記載のテレビジョン受信機。
【請求項３】  前記提示手段は、前記制御手段における判断に従い表示態様を切り替えながら、アクセス可能なリンク先をアイコンを用いて表示することを特徴とする、請求項２に記載のテレビジョン受信機。
【請求項４】  前記提示手段は、前記制御手段における判断に従い各リンク先ごとに表示態様を切り替えながら、アクセス可能なリンク先を一覧表示することを特徴とする、請求項２に記載のテレビジョン受信機。
【請求項５】  通信回線を介して接続された情報サーバとの間で通信を行う通信手段をさらに備え、
前記情報取得手段は、前記通信手段を用いて前記情報サーバから情報を取得することを特徴とする、請求項１に記載のテレビジョン受信機。
【請求項６】  リンク先に対するアクセス履歴を記憶するアクセス履歴記憶手段をさらに備え、
前記制御手段は、前記情報取得手段が特定リンク先にアクセスしたときに前記アクセス履歴を更新し、所定の時期に前記通信手段を用いて前記アクセス履歴を送信することを特徴とする、請求項５に記載のテレビジョン受信機。
【請求項７】  前記制御手段は、前記通信手段を用いて前記情報サーバから前記識別情報を受信し、受信した識別情報を前記識別情報記憶手段に書き込むことを特徴とする、請求項６に記載のテレビジョン受信機。
【請求項８】  前記制御手段は、前記テレビジョン信号に含まれているテレビジョン受信機保守用データから前記識別情報を抽出し、抽出した識別情報を前記識別情報記憶手段に書き込むことを特徴とする、請求項１に記載のテレビジョン受信機。
【請求項９】  前記リンク先情報抽出手段は、属性情報として、少なくとも、リンク先のアドレス情報を抽出し、
前記識別情報記憶手段は、識別情報として、少なくとも、特定リンク先のアドレス情報を記憶することを特徴とする、請求項１に記載のテレビジョン受信機。
【請求項１０】  前記リンク先情報抽出手段は、属性情報として、少なくとも、リンク先の名称とアドレス情報とを抽出し、
前記識別情報記憶手段は、識別情報として、少なくとも、特定リンク先の名称とアドレス情報とを記憶することを特徴とする、請求項１に記載のテレビジョン受信機。
【請求項１１】  前記リンク先情報抽出手段は、属性情報として、少なくとも、リンク先の名称とアドレス情報と管理者情報とを抽出し、
前記識別情報記憶手段は、識別情報として、少なくとも、特定リンク先の名称とアドレス情報と管理者情報とを記憶することを特徴とする、請求項１に記載のテレビジョン受信機。
【請求項１２】  複数のテレビジョン受信機が特定リンク先にアクセスしたときのアクセス数を集計する方法であって、
各前記テレビジョン受信機が、
通信手段と、
受信したテレビジョン信号に基づき、映像と音声とを出力するテレビジョン放送受信手段と、
前記テレビジョン信号から、アクセス可能なリンク先の属性情報を抽出するリンク先情報抽出手段と、
前記リンク先情報抽出手段で抽出された属性情報を用いて、ユーザによって指定されたリンク先から情報を取得する情報取得手段と、
リンク先が特定リンク先であるか否かを識別するための識別情報を記憶する識別情報記憶手段と、
リンク先に対するアクセス履歴を記憶するアクセス履歴記憶手段と、
前記リンク先情報抽出手段で抽出された属性情報が前記識別情報記憶手段に記憶されているか否かに応じて、当該属性情報が前記識別情報記憶手段に記憶されている場合にはリンク先を特定リンク先であると、当該属性情報が前記識別情報記憶手段に記憶されていない場合にはリンク先を特定リンク先ではないと判断する処理と、前記情報取得手段が特定リンク先にアクセスしたときに前記アクセス履歴を更新し、所定の時期に前記通信手段を用いて前記アクセス履歴を送信する処理とを行う制御手段とを備える場合に実行され、
前記識別情報を各前記テレビジョン受信機に提供するステップと、
テレビジョン放送システムを用いて、前記テレビジョン受信機からアクセス可能なリンク先の属性情報を含んだテレビジョン信号を送信するステップと、
各前記テレビジョン受信機から送信されたアクセス履歴を受信するステップと、
各前記テレビジョン受信機から受信したアクセス履歴に基づき、特定リンク先に対するアクセス数を求めるステップとを備えた、アクセス数集計方法。
【請求項１３】  求めたアクセス数を特定リンク先の管理者システムに提供するステップをさらに備えた、請求項１２に記載のアクセス数集計方法。
【請求項１４】  求めたアクセス数を前記テレビジョン放送システムに提供するステップをさらに備えた、請求項１２に記載のアクセス数集計方法。
【請求項１５】  特定リンク先が広告サイトであることを特徴とする、請求項１２に記載のアクセス数集計方法。
【請求項１６】  テレビジョン放送受信機能と情報取得機能とを有するテレビジョン受信機であって、
受信したテレビジョン信号に基づき、映像と音声とを出力するテレビジョン放送受信手段と、
前記テレビジョン信号から、アクセス可能なリンク先の属性情報を抽出するリンク先情報抽出手段と、
前記リンク先情報抽出手段で抽出された属性情報を用いて、ユーザによって指定されたリンク先から情報を取得する情報取得手段と、
リンク先が特定リンク先であるか否かを識別するための識別情報を記憶する識別情報記憶手段と、
前記リンク先情報抽出手段で抽出された属性情報が前記識別情報記憶手段に記憶されているか否かに応じて、当該属性情報が前記識別情報記憶手段に記憶されている場合にはリンク先を特定リンク先であると判断し、当該判断に従い、特定リンク先が強調されるように、リンク先の表示態様または音声出力を切り替える制御手段とを備えた、テレビジョン受信機。
【請求項１７】  複数のテレビジョン受信機が特定リンク先にアクセスしたときのアクセス数を集計する方法であって、
各前記テレビジョン受信機が、
通信手段と、
受信したテレビジョン信号に基づき、映像と音声とを出力するテレビジョン放送受信手段と、
前記テレビジョン信号から、アクセス可能なリンク先の属性情報を抽出するリンク先情報抽出手段と、
前記リンク先情報抽出手段で抽出された属性情報を用いて、ユーザによって指定されたリンク先から情報を取得する情報取得手段と、
リンク先が特定リンク先であるか否かを識別するための識別情報を記憶する識別情報記憶手段と、
リンク先に対するアクセス履歴を記憶するアクセス履歴記憶手段と、
前記リンク先情報抽出手段で抽出された属性情報が前記識別情報記憶手段に記憶されているか否かに応じて、当該属性情報が前記識別情報記憶手段に記憶されている場合にはリンク先を特定リンク先であると判断する処理と、前記情報取得手段が特定リンク先にアクセスしたときに前記アクセス履歴を更新し、所定の時期に前記通信手段を用いて前記アクセス履歴を送信する処理とを行う制御手段とを備える場合に実行され、
前記識別情報を各前記テレビジョン受信機に提供するステップと、
テレビジョン放送システムを用いて、前記テレビジョン受信機からアクセス可能なリンク先の属性情報を含んだテレビジョン信号を送信するステップと、
各前記テレビジョン受信機から送信されたアクセス履歴を受信するステップと、
各前記テレビジョン受信機から受信したアクセス履歴に基づき、特定リンク先に対するアクセス数を求めるステップとを備えた、アクセス数集計方法。
【手続補正２】
【補正対象書類名】明細書
【補正対象項目名】００１３
【補正方法】変更
【補正の内容】
【００１３】
【課題を解決するための手段および発明の効果】
第１の発明は、テレビジョン放送受信機能と情報取得機能とを有するテレビジョン受信機であって、
受信したテレビジョン信号に基づき、映像と音声とを出力するテレビジョン放送受信手段と、
テレビジョン信号から、アクセス可能なリンク先の属性情報を抽出するリンク先情報抽出手段と、
リンク先情報抽出手段で抽出された属性情報を用いて、ユーザによって指定されたリンク先から情報を取得する情報取得手段と、
リンク先が特定リンク先であるか否かを識別するための識別情報を記憶する識別情報記憶手段と、
リンク先情報抽出手段で抽出された属性情報が識別情報記憶手段に記憶されているか否かに応じて、当該属性情報が識別情報記憶手段に記憶されている場合にはリンク先を特定リンク先であると、当該属性情報が識別情報記憶手段に記憶されていない場合にはリンク先を特定リンク先ではないと判断し、当該判断に従い、特定リンク先が強調されるように、リンク先の表示態様または音声出力を切り替える制御手段とを備える。
このような第１の発明によれば、テレビジョン受信機は、識別情報を用いてリンク先が特定リンク先であるか否かを判断し、その判断に基づきリンク先に対する処理を切り替える。これにより、リンク先をアイコン表示するときに特定リンク先を強調表示したり、リンク先を一覧表示するときに特定リンク先を先に表示したりすることができる。また、特定リンク先を区別してアクセス履歴を求めることができるので、特定リンク先に対するアクセス数を集計することができる。このような特定リンク先としては、例えば、特定の広告主の広告サイトなどが選択される。
【手続補正３】
【補正対象書類名】明細書
【補正対象項目名】００２０
【補正方法】変更
【補正の内容】
【００２０】
第８の発明は、第１の発明において、制御手段は、テレビジョン信号に含まれているテレビジョン受信機保守用データから識別情報を抽出し、抽出した識別情報を識別情報記憶手段に書き込むことを特徴とする。
このような第８の発明によれば、テレビジョン受信機は、テレビジョン信号に含まれている保守用データから識別情報を抽出し、抽出した識別情報を用いてリンク先が特定リンク先であるか否かを判断する。したがって、テレビジョン受信機の動作中に識別情報を適宜切り替えて、任意のリンク先に対するアクセス履歴を自由に求めることができる。また、識別情報はテレビジョン信号に含めて送信されるので、テレビジョン受信機は、識別情報を受信するために通信を行う必要がなくなる。
【手続補正４】
【補正対象書類名】明細書
【補正対象項目名】００２１
【補正方法】変更
【補正の内容】
【００２１】
第９の発明は、第１の発明において、リンク先情報抽出手段は、属性情報として、少なくとも、リンク先のアドレス情報を抽出し、
識別情報記憶手段は、識別情報として、少なくとも、特定リンク先のアドレス情報を記憶することを特徴とする。
このような第９の発明によれば、テレビジョン受信機は、リンク先が特定リンク先であるか否かを、リンク先のアドレス情報に基づき判断する。
【手続補正５】
【補正対象書類名】明細書
【補正対象項目名】００２２
【補正方法】変更
【補正の内容】
【００２２】
第１０の発明は、第１の発明において、リンク先情報抽出手段は、属性情報として、少なくとも、リンク先の名称とアドレス情報とを抽出し、
識別情報記憶手段は、識別情報として、少なくとも、特定リンク先の名称とアドレス情報とを記憶することを特徴とする。
このような第１０の発明によれば、テレビジョン受信機は、リンク先が特定リンク先であるか否かを、リンク先の名称とアドレス情報とに基づき判断する。これにより、リンク先が特定リンク先であるか否かの判断の確実性を上げることができる。
【手続補正６】
【補正対象書類名】明細書
【補正対象項目名】００２３
【補正方法】変更
【補正の内容】
【００２３】
第１１の発明は、第１の発明において、リンク先情報抽出手段は、属性情報として、少なくとも、リンク先の名称とアドレス情報と管理者情報とを抽出し、
識別情報記憶手段は、識別情報として、少なくとも、特定リンク先の名称とアドレス情報と管理者情報とを記憶することを特徴とする。
このような第１１の発明によれば、テレビジョン受信機は、リンク先が特定リンク先であるか否かを、リンク先の名称とアドレス情報と管理者情報とに基づき判断する。リンク先が特定リンク先であるか否かの判断に管理者情報を用いることにより、受信したリンク先情報が特定の事業者のものであることを確認することができる。
【手続補正７】
【補正対象書類名】明細書
【補正対象項目名】００２４
【補正方法】変更
【補正の内容】
【００２４】
第１２の発明は、複数のテレビジョン受信機が特定リンク先にアクセスしたときのアクセス数を集計する方法であって、
各テレビジョン受信機が、
通信手段と、
受信したテレビジョン信号に基づき、映像と音声とを出力するテレビジョン放送受信手段と、
テレビジョン信号から、アクセス可能なリンク先の属性情報を抽出するリンク先情報抽出手段と、
リンク先情報抽出手段で抽出された属性情報を用いて、ユーザによって指定されたリンク先から情報を取得する情報取得手段と、
リンク先が特定リンク先であるか否かを識別するための識別情報を記憶する識別情報記憶手段と、
リンク先に対するアクセス履歴を記憶するアクセス履歴記憶手段と、
リンク先情報抽出手段で抽出された属性情報が識別情報記憶手段に記憶されているか否かに応じて、当該属性情報が識別情報記憶手段に記憶されている場合にはリンク先を特定リンク先であると、当該属性情報が識別情報記憶手段に記憶されていない場合にはリンク先を特定リンク先ではないと判断する処理と、情報取得手段が特定リンク先にアクセスしたときにアクセス履歴を更新し、所定の時期に通信手段を用いてアクセス履歴を送信する処理とを行う制御手段とを備える場合に実行され、
識別情報を各テレビジョン受信機に提供するステップと、
テレビジョン放送システムを用いて、テレビジョン受信機からアクセス可能なリンク先の属性情報を含んだテレビジョン信号を送信するステップと、
各テレビジョン受信機から送信されたアクセス履歴を受信するステップと、
各テレビジョン受信機から受信したアクセス履歴に基づき、特定リンク先に対するアクセス数を求めるステップとを備える。
このような第１２の発明によれば、テレビジョン受信機は、特定リンク先に対するアクセス履歴を求め、求めたアクセス履歴を適宜送信する。したがって、複数のテレビジョン受信機からアクセス履歴を受信して集計することにより、特定リンク先に対するアクセスについて各種の統計値を求めることができる。例えば、特定リンク先として、デジタル放送のブックマークサービスによって提供されるリンク先を選択することにより、ブックマークサービスに基づきリンク先がアクセスされたときのアクセス数を求めることができる。このようにして求めたアクセス数は、ブックマークサービスの効果を定量的に表す指標として使用される。
【手続補正８】
【補正対象書類名】明細書
【補正対象項目名】００２７
【補正方法】変更
【補正の内容】
【００２７】
第１５の発明は、第１２の発明において、特定リンク先が広告サイトであることを特徴とする。
このような第１５の発明によれば、広告サイトに対するアクセスについて各種の統計値を求めることができる。例えば、特定リンク先として、デジタル放送のブックマークサービスによって提供される広告サイトを選択することにより、ブックマークサービスに基づき広告サイトがアクセスされたときのアクセス数を求めることができる。このようにして求めたアクセス数は、ブックマークサービスの効果を定量的に表す指標として使用される。
第１６の発明は、テレビジョン放送受信機能と情報取得機能とを有するテレビジョン受信機であって、
受信したテレビジョン信号に基づき、映像と音声とを出力するテレビジョン放送受信手段と、
テレビジョン信号から、アクセス可能なリンク先の属性情報を抽出するリンク先情報抽出手段と、
リンク先情報抽出手段で抽出された属性情報を用いて、ユーザによって指定されたリンク先から情報を取得する情報取得手段と、
リンク先が特定リンク先であるか否かを識別するための識別情報を記憶する識別情報記憶手段と、
リンク先情報抽出手段で抽出された属性情報が識別情報記憶手段に記憶されているか否かに応じて、当該属性情報が識別情報記憶手段に記憶されている場合にはリンク先を特定リンク先であると判断し、当該判断に従い、特定リンク先が強調されるように、リンク先の表示態様または音声出力を切り替える制御手段とを備える。
第１７の発明は、複数のテレビジョン受信機が特定リンク先にアクセスしたときのアクセス数を集計する方法であって、
各テレビジョン受信機が、
通信手段と、
受信したテレビジョン信号に基づき、映像と音声とを出力するテレビジョン放送受信手段と、
テレビジョン信号から、アクセス可能なリンク先の属性情報を抽出するリンク先情報抽出手段と、
リンク先情報抽出手段で抽出された属性情報を用いて、ユーザによって指定されたリンク先から情報を取得する情報取得手段と、
リンク先が特定リンク先であるか否かを識別するための識別情報を記憶する識別情報記憶手段と、
リンク先に対するアクセス履歴を記憶するアクセス履歴記憶手段と、
リンク先情報抽出手段で抽出された属性情報が識別情報記憶手段に記憶されているか否かに応じて、当該属性情報が識別情報記憶手段に記憶されている場合にはリンク先を特定リンク先であると判断する処理と、情報取得手段が特定リンク先にアクセスしたときにアクセス履歴を更新し、所定の時期に通信手段を用いてアクセス履歴を送信する処理とを行う制御手段とを備える場合に実行され、
識別情報を各テレビジョン受信機に提供するステップと、
テレビジョン放送システムを用いて、テレビジョン受信機からアクセス可能なリンク先の属性情報を含んだテレビジョン信号を送信するステップと、
各テレビジョン受信機から送信されたアクセス履歴を受信するステップと、
各テレビジョン受信機から受信したアクセス履歴に基づき、特定リンク先に対するアクセス数を求めるステップとを備える。
【手続補正９】
【補正対象書類名】明細書
【補正対象項目名】００８８
【補正方法】変更
【補正の内容】
【００８８】
広告サイト４３ｂを運営する広告主は、広告サイト４３ｂをブックマークサービスの対象とするよう、ポータルサイト５３を運営する事業者（ポータルサイト運営事業者）に依頼する。このとき、広告主システム４４ｂから情報サーバ４２ｂに対して、ブックマークサービス依頼情報が送信される（図１１のＰ２１）。ポータルサイト運営事業者は、広告主からの依頼に応じて、広告主から依頼されたリンク先（この例では、広告サイト４３ｂ）を特定リンク先として扱うこととし、サイトデータベース５１を更新する。サイトデータベース５１には、広告主から依頼された広告サイトの属性情報（この例では、広告サイト４３ｂの名称やリンク先ＵＲＬなど）が、特定リンク先情報として記憶される。